(57)【要約】【課題】多角形接続孔構造を提供する。【解決手段】本発明の多角形接続孔構造はメス端物品に設置され、前記メス端物品を他のオス端物品に接続させる。前記接続孔は複数の歯部を有し、これら前記歯部は所定の角度で相互に間隔を空け、前記オス端物品の接続端は複数の突出部を有し、これら前記突出部はこれら前記歯部に対応すると共に前記オス端物品に前記接続孔を貫通させて固定させる。前記オス端物品が前記接続孔を貫通させた後に、外部から回転動作を加えられると、これら前記歯部の内壁面及びこれら前記突出部の外表面に摩擦が発生し、パワーフィードバックを発生させるか、或いはこれら前記突出部が圧迫されることで、これら前記歯部を貫通させた後にこれら前記歯部の凹型溝内に係入された後に弾性で復位されて定位されるか互いに交錯して係合され、前記接続孔の背面に当接されて接続による固定を形成させる。【選択図】図１
2016183731.tif 000002
【特許請求の範囲】
【請求項１】
メス端物品に設けられ、前記メス端物品を他のオス端物品に接続させるための多角形接続孔構造であって、
前記接続孔は所定の角度で相互に間隔を空ける複数の歯部を有し、前記オス端物品の接続端は複数の突出部を有し、且つ前記突出部は前記歯部に対応すると共に前記オス端物品を前記接続孔に貫通させて固定させ、前記オス端物品が前記接続孔を貫通させた後に外部から回転動作を加えられると、前記歯部の内壁面及び前記突出部の外表面に摩擦が発生し、さらにパワーフィードバックを発生させることを特徴とする、
多角形接続孔構造。
【請求項２】
前記接続孔及び前記歯部は一体成型されるか前記メス端物品に取り外し可能に設置され、且つ前記オス端物品の接続端及び前記突出部は一体成型されるか前記オス端物品に取り外し可能に設置され、前記メス端物品或いはオス端物品は延伸棒、位置決めフレーム、接続器、固定部材、携帯装置、タブレット端末、電子書籍端末、ゲーム機、ケース、ないしはケーブルであり、前記歯部が相互に間隔を空ける所定の角度は等角或いは不等角であり、対称ないしいは非対称の態様を呈し、また、前記歯部のサイズは一致するか不一致になり、且つ前記歯部は円形、円弧形、多角形、もしくは多辺形で延伸されることで前記接続孔が形成され、前記突出部の数量は前記歯部の数量より多いか少ないか、或いは等量であり、その対応方式は一対一ないしは一対多数であり、前記回転動作により前記突出部が回転された後に前記歯部に照準を合わせるか照準を合わせず、接続されての固定をさらに形成させ、前記回転動作は時計回り方向或いは反時計回り方向になり、前記回転動作で発生するパワーフィードバックにより付随する係合の触覚或いは音響を与え、回転しての固定位置決めを達成させた後に現実的な感覚を与え、前記歯部及び前記突出部の形状は尖端状、円弧状、多角形、或いは多辺形であり、且つ前記歯部の切断面は垂直になり、波状を呈するか傾斜度を有することを特徴とする、請求項１記載の多角形接続孔構造。
【請求項３】
メス端物品に設けられ、前記メス端物品を他のオス端物品に接続させるための多角形接続孔構造であって、
前記接続孔は所定の角度で相互に間隔を空ける複数の歯部を有し、前記オス端物品の接続端は複数の突出部を有し、且つ前記突出部は前記歯部に対応すると共に前記オス端物品を前記接続孔に貫通させて固定させ、前記オス端物品が前記接続孔を貫通させた後に前記突出部が圧迫されることで、前記歯部を貫通させた後に前記歯部の凹型溝内に係入させた後に弾性で復位されて定位され、前記接続孔の背面に当接されて接続による固定、或いは互いに交錯しての係合を形成させることを特徴とする、
多角形接続孔構造。
【請求項４】
前記接続孔及び前記歯部は一体成型されるか前記メス端物品に取り外し可能に設置され、且つ前記オス端物品の接続端及び前記突出部は一体成型されるか前記オス端物品に取り外し可能に設置され、前記メス端物品或いはオス端物品は延伸棒、位置決めフレーム、接続器、固定部材、携帯装置、タブレット端末、電子書籍端末、ゲーム機、ケース、或いはケーブルであり、また、前記歯部が相互に間隔を空ける所定の角度は等角ないしは不等角であり、対称或いは非対称の態様を呈し、前記歯部のサイズは一致するか不一致になり、且つ前記歯部は円形、円弧形、多角形、或いは多辺形で延伸されることで前記接続孔が形成され、前記突出部の数量は前記歯部の数量より多いか少ないか、或いは等量であり、その対応方式は一対一ないしは一対多数であり、また、前記係合動作は圧迫されて係合することで前記突出部に前記歯部を貫通させた後に、前記歯部の凹型溝内に係入させた後に弾性で復位されて定位され、前記接続孔背面に当接されて接続による固定、或いは互いに交錯しての係合が形成され、前記突出部が弾性で定位されるか弾性で復位されて定位されることにより付随する係合の触覚或いは音響を与え、これは現実的で容易に押動出来ない印象を与える感覚であり、前記係合動作には前記歯部の間の角度をつけての回転が更に組み合わされ、前記突出部が次の前記歯部の凹型溝まで回転された後に最も好ましい回転効果が得られ、また、前記オス端物品は、軽微な可撓性を呈すると共に圧縮されて前記接続孔に貫入する刳り部を更に有し、前記オス端物品には前記オス端物品を圧縮させて前記接続孔に貫入させる少なくとも１つの押し部が更に設けられ、前記接続孔から退出される際には解放効果を達成させ、前記メス端物品、前記オス端物品、或いは両者には、前記オス端物品を圧縮させて前記接続孔に貫入させる解放装置が更に設置され、前記接続孔から退出される際には解放効果を達成させ、前記歯部及び前記突出部の形状は尖端状、円弧状、多角形、或いは多辺形であり、且つ前記歯部の切断面は垂直になり、波状を呈するか傾斜度を有することを特徴とする、請求項３記載の多角形接続孔構造。
【発明の詳細な説明】
【技術分野】
【０００１】
本発明は、複数の歯部で構成され、且つ延伸棒、位置決めフレーム、接続器、固定部材、携帯装置、タブレット端末、電子書籍端末、ゲーム機、ケース、ケーブル等に応用される多角形接続孔構造に関する。
【背景技術】
【０００２】
市場には携帯装置の位置決めフレーム接続器が存在し、位置決めフレームは能動型ホルダーに相互に接続され、回転機能を有する。
【発明の概要】
【発明が解決しようとする課題】
【０００３】
しかしながら、両者を接続させる接続器は簡単且つ高速には着脱出来ず、同時に回転する機能も実現出来ていない。本発明の装置により携帯装置の位置決めフレームの着脱速度を上げ、回転機能を付加させる。
【０００４】
そこで、本発明者は上記の欠点が改善可能と考え、鋭意検討を重ねた結果、合理的かつ効果的に課題を改善する本発明の多角形接続孔構造の提案に到った。
【０００５】
本発明は、このような従来の問題に鑑みてなされたものであり、その目的とするところは、多角形接続孔構造を提供することにある。
【課題を解決するための手段】
【０００６】
上述した課題を解決し、上記目的を達成するための本発明の多角形接続孔構造は、メス端物品に設けられ、前記メス端物品を他のオス端物品に接続させる。前記接続孔は所定の角度で相互に間隔を空ける複数の歯部を有し、前記オス端物品の接続端は複数の突出部を有し、且つこれら前記突出部はこれら前記歯部に対応すると共に前記オス端物品に前記接続孔を貫通させて固定させる。また、前記オス端物品が前記接続孔を貫通させた後に外部から回転動作を加えられると、これら前記歯部の内壁面及びこれら前記突出部の外表面に摩擦が発生し、さらにパワーフィードバックを発生させることを特徴とする。
【０００７】
請求項２に記載の多角形接続孔構造は請求項１において、前記接続孔及びこれら前記歯部は一体成型されるか前記メス端物品に取り外し可能に設置され、且つ前記オス端物品の接続端及びこれら前記突出部は一体成型されるか前記オス端物品に取り外し可能に設置される。前記メス端物品或いはオス端物品は延伸棒、位置決めフレーム、接続器、固定部材、携帯装置、タブレット端末、電子書籍端末、ゲーム機、ケース、ないしはケーブルである。これら前記歯部が相互に間隔を空ける所定の角度は等角或いは不等角であり、対称ないしいは非対称の態様を呈する。また、これら前記歯部のサイズは一致するか不一致になり、且つこれら前記歯部は円形、円弧形、多角形、もしくは多辺形で延伸されることで前記接続孔が形成される。これら前記突出部の数量はこれら前記歯部の数量より多いか少ないか、或いは等量であり、その対応方式は一対一ないしは一対多数である。前記回転動作によりこれら前記突出部が回転された後にこれら前記歯部に照準を合わせるか照準を合わせず、接続されての固定をさらに形成させる。前記回転動作は時計回り方向或いは反時計回り方向になり、前記回転動作で発生するパワーフィードバックにより付随する係合の触覚或いは音響を与え、回転しての固定位置決めを達成させた後に現実的な感覚を与える。これら前記歯部及びこれら前記突出部の形状は尖端状、円弧状、多角形、或いは多辺形であり、且つこれら前記歯部の切断面は垂直になり、波状を呈するか傾斜度を有する。
【０００８】
また、上述した課題を解決するために、本発明の多角形接続孔構造は、メス端物品に設けられ、前記メス端物品を他のオス端物品に接続させる。前記接続孔は所定の角度で相互に間隔を空ける複数の歯部を有し、前記オス端物品の接続端は複数の突出部を有し、且つこれら前記突出部はこれら前記歯部に対応すると共に前記オス端物品に前記接続孔を貫通させて固定させる。また、前記オス端物品が前記接続孔を貫通させた後にこれら前記突出部が圧迫されることで、これら前記歯部を貫通させた後にこれら前記歯部の凹型溝内に係入させた後に弾性で復位されて定位され、前記接続孔の背面に当接されて接続による固定、或いは互いに交錯しての係合を形成させることを特徴とする。
【０００９】
請求項４に記載の多角形接続孔構造は請求項３において、前記係合動作は圧迫されて係合することでこれら前記突出部にこれら前記歯部を貫通させた後に、これら前記歯部の凹型溝内に係入させた後に弾性で復位されて定位され、前記接続孔背面に当接されて接続による固定が形成され、これら前記突出部が弾性で復位されて定位されることにより付随する係合の触覚或いは音響を与える。前記係合動作にはこれら前記歯部の間の角度をつけての回転が更に組み合わされ、これら前記突出部が次のこれら前記歯部の凹型溝まで回転された後に停止する。また、前記オス端物品は、軽微な可撓性を呈すると共に圧縮されて前記接続孔に貫入する刳り部を更に有し、前記オス端物品には前記オス端物品を圧縮させて前記接続孔に貫入させる少なくとも１つの押し部が更に設けられ、前記接続孔から退出される際には解放効果を達成させる。前記メス端物品、前記オス端物品、或いは両者には、前記オス端物品を圧縮させて前記接続孔に貫入させる解放装置が更に設置され、前記接続孔から退出される際には解放効果を達成させる。これら前記歯部及びこれら前記突出部の形状は尖端状、円弧状、多角形、或いは多辺形であり、且つこれら前記歯部の切断面は垂直になるか傾斜度を有する。
【発明の効果】
【００１０】
このように、従来の技術に比較すると、本発明では複数の歯部の接続孔構造により、外部から回転動作ないしは係合動作を加えられ、より高速な着脱を確実に実現させる。使用者がどのような状況や地理的環境であっても障害なく各型式のメス端物品とオス端物品とを接続させて固定させることが可能である。さらには、メス端物品及びオス端物品の接続に回転機能を付加させ、より便利な多角形接続孔構造を提供する。
【図面の簡単な説明】
【００１１】
【図１】本発明に係る多角形接続孔がフレームに設置される外観斜視図である。
【図２】本発明に係るホルダーを示す展開図（一）である。
【図３】本発明に係るホルダーを示す展開図（二）である。
【図４】本発明に係るホルダーを示す外観斜視図である。
【図５】本発明に係る位置決めフレ−ム及びホルダーを示す展開図である。
【図６】本発明に係る位置決めフレ−ム及びホルダーの結合を示す概念図である。
【図７】本発明に係る接続孔を示す平面外観図（一）である。
【図８】本発明に係る接続孔を示す平面外観図である。
【図９】本発明に係る接続孔を示す平面外観図（二）である。
【図１０】本発明に係る接続孔を示す平面外観図（三）である。
【図１１】本発明に係る接続孔を示す平面外観図（四）である。
【図１２】本発明に係る接続孔及び接続部材の接続断面図（一）である。
【図１３】本発明に係る接続孔及び接続部材の接続断面図（二）である。
【図１４】本発明に係る接続孔及び接続部材の接続断面図（三）である。
【発明を実施するための形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１３】
＜第１実施形態＞
以下、本発明の実施形態について、図面を参照しながら説明する。
本発明の最も好ましい実施形態によれば（図１乃至図８参照）、多角形接続孔構造の接続孔１は携帯装置の位置決めフレーム２に設けられ、前記位置決めフレーム２を外部の物品に固定させて懸装させる外部の携帯装置のホルダー３への接続に利用される。前記ホルダー３は本発明の最も好ましい実施形態では延伸棒型式であり、その接続端にはまず接続部材３１が装設され、前記接続孔１は位置決めフレーム２に設けられて一体成型されるか取り外し可能に設置され、前記接続部材３１は前記ホルダー３の接続端に設置され、同様にいかなる型式にも制限されない。物品の製造の簡略化及び利便性向上のために、前記接続部材３１及び前記ホルダー３は分離されて設置される。
図２に示すように、前記接続部材３１はさらに、刳り部３２が上半部及び下半部に分けられ、前記刳り部３２により前記接続部材３１が軽微な可撓性を有し、貫入させる接続孔の孔径を圧縮させて小さくした後、圧縮前のサイズに戻ることで接続による固定の目的を達成させる。前記接続部材３１は前記刳り部３２を有せずに図３に示すような中実の態様を呈してもよく、前記中実態様の接続孔１には任意で解放装置を設置させてもよい。
【００１４】
また、上述の接続孔１は複数の歯部１１を有し、これら前記歯部１１は所定の角度で相互に間隔を空け、上述のホルダー３の接続部材３１は複数の突出部３１１を有し、これら前記突出部３１１はこれら前記歯部１１に対応して前記ホルダー３を圧縮させて前記接続孔１を貫入させた後、圧縮前のサイズに戻ることで接続による固定の目的を達成させる。
この好ましい実施態様において、前記ホルダー３が前記接続孔１を貫通させた後、外部から時計回り方向或いは反時計回り方向の回転動作が加えられると、これら前記歯部１１の内壁面及びこれら前記突出部３１１の外表面に摩擦が発生し、パワーフィードバックが発生して接続による固定が形成される。前記回転動作により発生するパワーフィードバックによってこれら前記歯部１１に照準を合わせるか照準を合わせない状況で、付随する係合の触覚ないしは音響を与え、回転により固定しての位置決めを達成させた後、パワーフィードバックにより付随する係合の触覚や音響等の現実的な感覚を提供し、且つ使用者にとっては回転角度及び位置が分かり易くなり、力を入れ過ぎてねじ山が潰れる事態を回避させる。
また、前記ホルダー３が前記接続孔１を貫通させた後、圧迫による係合の原理によりこれら前記突出部３１１が圧迫されることで、これら前記歯部１１を貫通させた後にこれら前記歯部１１の凹型溝内に係入され、弾性で復位されて定位され、前記接続孔１の背面に当接されて接続による固定を形成させる。これら前記突出部が弾性で復位されて定位すると付随する係合の触覚や音響が与えられる。前記係合動作にはこれら前記歯部１１の間の角度をつけての回転を組み合わされ、これら前記突出部３１１が次のこれら前記歯部１１の凹型溝まで回転した後に停止する。
【００１５】
なお、刳り部３２は、対応して前記接続部材３１に少なくとも１つの押し部３３が設置される。前記押し部３３及び接続部材３１は一体成型されるか、２つの異なる部材であり、突出部３１１の開閉の制御に用いられ、且つ前記押し部３３は主に前記接続部材３１を圧縮させて前記接続孔１に貫入させるのに使用され、また、前記接続孔１から退出されると解放効果を達成させ、解放の操作の目的を達成させる。そして、本発明は対応して前記接続孔１、前記ホルダー３、或いは両者に共に解放装置が設置され、これにより使用者が本発明を使用する際に、手動操作方式により前記接続部材３１を圧縮させて前記接続孔１に貫入させ、前記接続孔１から退出される際に解放効果を達成させる。
この好ましい実施態様において、前記接続孔１の歯部１１が相互に間隔を空ける所定の角度は等角或いは不等角であり、対称または非対称の態様を呈し、そのサイズは一致するか不一致になる。さらには、円形或いは多辺形で延伸されることで前記接続孔１が形成され、前記接続部材３１の突出部３１１の数量はこれら前記歯部１１の数量より小さいか等量であり、その対応方式は一対一か一対多数である。
この構造設計の目的は、これら前記突出部３１１にこれら前記歯部１１に対応させて前記接続部材３１に前記接続孔１を貫通させ、これら前記歯部１１及びこれら前記突出部３１１の形状は尖端状、円弧状、多角形、多辺形等に制限されない。例えば、図７及び図８に示すように、本発明の多角形接続孔構造の接続孔１が７つの歯部１１を有し、前記接続部材３１が３つの突出部３１１を有し、前記接続孔１の７つの歯部１１の上方に所定の距離が設けられる以外、等角で相互に間隔を空け、そのサイズが一致して円形の基礎から延伸されて形成され、これら前記歯部１１及びこれら前記突出部３１１が尖端状の形状を呈する。
ちなみに、本実施形態による接続孔１では、まず８つの歯部１１を有し、その内の１つの歯部１１が切除される目的は主に、停止角度を提供し、前記固定部材３の突出部３１１が回転して係入しないようにして、これら前記歯部１１と前記突出部３１１との間の回転動作を制御させる。さらには、この設計により前記切除された歯部１１から前記接続部材３１を退出させたり嵌入させたり出来なくなり、前記接続部材３１を回転させて前記歯部１１に嵌入した位置から退出させる。
【００１６】
図９に示す多角形接続孔構造の接続孔１は７つの歯部１１を有すると共にサイズは皆一致し、同様に等角で相互に間隔を空ける。図７との主要な差異は、図９の歯部１１は更に突出する尖端状を有し、異なる態様の接続部材３１及び突出部３１１を組み合わせて接続による固定を形成させ、図９の歯部１１は多辺形の基礎から延伸されて形成され、円形の基礎ではない点である。
図１０及び図１１によれば、接続孔１は３つの歯部１１及び４つの歯部１１をそれぞれ有し、上述の２つの図の共通の部分は、これら前記歯部１１のサイズは皆一致すると共に等角で相互に間隔を空ける点である。主な差異は、図１０及び図１１の歯部１１では、形状が円弧状になり、且つ多辺形或いは円形の基礎から延伸されて形成されるわけではなく、同様に異なる態様の接続部材３１及び突出部３１１が組み合わされて接続による固定を達成させる点である。
【００１７】
さらに、図１２から図１４は本発明に係る接続孔及び接続部材の接続断面図（一）、（二）及び（三）をそれぞれ示す。図面に示すように、本発明に係る接続孔１及び接続部材３１が接続される場合、回転動作ないしは係合動作により実現される。故に、前記接続孔１の切断面は異なる型式で対応する。
図１２に示す前記接続孔１の切断面は垂直態様を呈し、対応して前記接続部材３１が貫入する際に回転動作或いは係合動作が実行される。図１３に示す前記接続孔１の切断面は傾斜度を有し、主に前記接続部材３１に対応して貫入する際に、まず圧迫してから係合動作が行われる。図１４に示す前記接続孔１の切断面は同様に垂直態様を呈するが、但し前記接続部材３１の外表面には少なくとも１つの係合部材１２が更に設置され、前記係合部材１２は対応して前記接続部材３１の切断面に係入し、前記接続孔１と前記接続部材３１との接続による固定を形成させる。
【００１８】
なお、本発明は前述した実施の形態のみに限定されるものではなく、本発明の要旨を逸脱しない範囲において種々の変更が可能であることは勿論である。
【符号の説明】
【００１９】
１  接続孔  
１１  歯部
２  位置決めフレーム
３  ホルダー
３１  接続部材
３１１  突出部
３２  刳り部
３３  押し部
【図１】
2016183731.tif 000003
【図２】
2016183731.tif 000004
【図３】
2016183731.tif 000005
【図４】
2016183731.tif 000006
【図５】
2016183731.tif 000007
【図６】
2016183731.tif 000008
【図７】
2016183731.tif 000009
【図８】
2016183731.tif 000010
【図９】
2016183731.tif 000011
【図１０】
2016183731.tif 000012
【図１１】
2016183731.tif 000013
【図１２】
2016183731.tif 000014
【図１３】
2016183731.tif 000015
【図１４】
2016183731.tif 000016
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
メス端物品に設けられるとともに、当該メス端物品をオス端物品で支持するべく当該オス端物品に設けられる、双方の物品どうしの接続構造であって、
前記メス端物品側での所定の角度で相互に間隔を空ける複数の歯部を有する接続孔と、
前記オス端物品側での、前記接続孔に回転可能に貫通しつつ当該接続孔の前記複数の歯部それぞれの内周部に対し外力による回転動作に抗する摩擦をともなって係合可能な外周部をそれぞれ有する複数の突出部と、
を備え、
前記オス端物品と前記メス端物品との相互の押圧動作で接続状態となり相互の解離動作で解放状態となる程度に、当該オス端物品側での前記複数の突出部は可撓性を有する
ことを特徴とする接続構造。
【請求項２】
前記メス端物品は、延伸棒、位置決めフレーム、接続器、固定部材、またはケーブルであり、前記オス端物品は、携帯装置、タブレット端末、電子書籍端末、ゲーム機、またはケースであり、
前記メス端物品と前記オス端物品との相互の位置決めに資するべく、前記回転動作で発生する前記摩擦による当該回転動作に対する抗力または当該回転動作にともなう音響を与え、
前記複数の歯部及び前記複数の突出部の軸方向と直交する断面は尖端状、円弧状、多角形、または多辺形をなし、
前記複数の歯部の軸方向に沿った断面は当該軸方向に沿う、当該軸方向に対し波状を呈する、または当該軸方向に対し傾斜する
ことを特徴とする、請求項１記載の接続構造。